(57)【特許請求の範囲】
【請求項１】
魚釣用リールであって、
一方に窓部が設けられたリール本体の側板間に、スプールを回転自在に支持し、前記スプールの回転を制動する制動装置と、
前記側板の前記窓部から、少なくとも一部がそれぞれに露出するように配置される、前記制動装置の制動力の調整のための操作に連動して動く連動部材及び該連動部材の位置を視覚又は触覚により認識可能な連動部材認識部を有する操作部と、を備え、
釣糸を前記スプールに巻き取るハンドルに対して、反対側の側板の下部に、釣竿および前記リール本体を握持保持した際に、手の掌に対して離れた位置に前記操作部を配置し、前記窓部を通して前記連動部材をリール本体を握持保持した手の指で操作可能とし、操作により前記制動装置の制動力を調整することを特徴とする魚釣用リール。
【請求項２】
前記操作部は、基準制動力を設定し、
前記ハンドルに対して反対側の側板には、前記基準制動力をベースに制動力を微調整する別の操作部が設けられていることを特徴とする請求項１に記載の魚釣用リール。
【発明の詳細な説明】
【技術分野】
【０００１】
本発明は、魚釣用リールに関し、特に、リール本体の側板間にスプールを回転自在に支持し、このスプールの回転を制動する制動装置の制動力を、側板に配置した操作部を介して調整可能とした魚釣用リールに関する。
【背景技術】
【０００２】
例えばキャスティング等の釣糸放出時にスプールの過回転を防止するための遠心摩擦ブレーキ装置あるいは磁気ブレーキ装置等のブレーキ装置が従来から知られている。  
例えば特許文献１では、魚釣用リールの１対の側板の間に回転自在に支持したスプールに制動力を付与する制動装置の操作部は、ハンドルと反対側の側板の前方に設けられている。例えば特許文献２では、魚釣用リールの１対の側板の間に回転自在に支持したスプールに制動力を付与する制動装置の操作部は、スプール後方の側板間に設けられている。
【先行技術文献】
【特許文献】
【０００３】
【特許文献１】実開平７−５３６２号公報
【特許文献２】特公平１−２７６９８号公報
【発明の概要】
【発明が解決しようとする課題】
【０００４】
特許文献１の魚釣用リールでは、側板の前方側や中央部にスプールの制動装置の操作部（スプールを制動させる制動力を変化させる操作部）が操作可能に露出されて配置されている。この場合、魚釣用リールを釣竿とともに握持する際に掌に操作部の露出する突出部が喰い込んでしまって違和感が生じ、握持保持性に劣る。  
特許文献２のように、スプールの後方の側板間に操作部（スプールを制動させる制動力を変化させる操作部）を設けた場合、クラッチをＯＦＦにした後のキャスティング時におけるサミング操作の邪魔になって釣糸放出操作をスムーズに行えなかったり、不用意に操作部に触れて制動状態（制動力）を変化させるおそれがあり、安定性に欠ける。  
さらに、実用時や釣場移動時に突出している外周部に外力が加わり易く、制動装置に支障が生じる可能性がある。  
また、魚釣りの最中にスプールの制動装置の操作部の位置（現在の操作部の位置でのスプールを制動させる制動力）を把握しておきたいという要望がある。
【０００５】
この発明は、このような課題を解決するためになされたものであり、例えば釣竿と一緒に握持保持して操作する際に違和感を無くすとともに、キャスティング操作時にもスプールの制動装置の操作部が邪魔になることがなく、かつ、制動装置に支障をきたすのを防止できるとともに、制動装置の操作部の位置がどこにあるのか、認識し易くすることが可能な魚釣用リールを提供することを目的とする。
【課題を解決するための手段】
【０００６】
上記課題を解決するために、この発明に係る、魚釣用リールであって、  一方に窓部が設けられたリール本体の側板間に、スプールを回転自在に支持し、前記スプールの回転を制動する制動装置と、前記側板の前記窓部から、少なくとも一部がそれぞれに露出するように配置される、前記制動装置の制動力の調整のための操作に連動して動く連動部材及び、該連動部材の位置を視覚又は触覚により認識可能な連動部材認識部を有する操作部と、を備え、釣糸を前記スプールに巻き取るハンドルに対して、反対側の側板の下部に、釣竿および前記リール本体を握持保持した際に、手の掌に対して離れた位置に前記操作部を配置し、前記窓部を通して前記連動部材をリール本体を握持保持した手の指で操作可能とし、操作により記制動装置の制動力を調整することを特徴とする。
【発明の効果】
【０００７】
操作部をハンドルに対して反対側の側板の下部で、かつ、手の掌から離れた位置に配置したことによって、釣竿およびリールを握持保持した際に操作部に掌が当たることが防止されている。このため、握持保持の際に掌に違和感がなく、キャスティング操作も操作部が邪魔になったり、支障が生じることなく、安定して行える。また、実釣時や釣り場移動時に操作部に外力が加わり難くなるので、操作部に傷が付いたり、回動操作力が低下したりするなど、制動装置に支障をきたすのを防止できる。さらに、認識手段がリール本体及び側板の少なくとも一方に設けられていることによって、釣り人は操作部の位置がどこにあるのか、実際に認識手段を視認して確認でき、又は、触覚により視認しなくても認識し易くすることができる。  
操作部の操作により連動して動く連動部材が設けられ、認識手段は連動部材の位置を認識可能な連動部材認識部を有することによって、連動部材認識部で連動部材の位置を認識できるので、操作部の位置を認識できる。このため、操作部がどの位置にあるのかを認識でき、制動装置の制動力を知ることができる。  
連動部材認識部が側板に設けられた窓部を有すること、又は、連動部材は、前記窓部を通して操作可能であることによって、連動部材を窓部を通して視覚的及び／又は触覚的に容易に認識できる。  
制動装置の制動力を大きく変化させる操作部だけでなく、操作部で変化させた制動力を微調整する別の操作部を設けることによって、釣場の実情に適した幅広い制動力調整が可能となる。
【図面の簡単な説明】
【０００８】
【図１】（Ａ）及び（Ｂ）は第１の実施の形態に係る、釣竿に魚釣用リールを取り付けた釣具を示すとともに、左手で釣竿およびリールを保持した状態を示し、（Ａ）は図１（Ｂ）中の矢印ＩＡ方向から観察した状態を示す概略的な正面図であり、（Ｂ）は図１（Ａ）中の矢印ＩＢ方向から観察した状態を示す概略的な左側面図。
【図２】第１の実施の形態に係る魚釣用リールのうち、ハンドルが取り付けられた側と反対側から観察した状態を示し、図１（Ａ）中の矢印ＩＢ方向から見た概略的な左側面図。
【図３】第１の実施の形態に係る魚釣用リールを示し、図２中のＩＩＩ−ＩＩＩ線に沿う概略的な部分横断面図。
【図４】第１の実施の形態に係る魚釣用リールの図２中のＩＶ−ＩＶ線に沿う部分の概略的な横断面拡大図。
【図５】第２の実施の形態に係る、釣竿に魚釣用リールを取り付けた釣具を示し、（Ａ）は左手で釣竿およびリールを保持して右手でハンドルを保持した状態を示し、図５（Ｂ）中の矢印Ｖ（Ａ）方向から観察した状態を示す概略的な上面図であり、（Ｂ）は左手で釣竿およびリールを保持した状態を示し、図５（Ａ）中の矢印Ｖ（Ｂ）方向から観察した状態を示す概略的な左側面図。
【図６】第２の実施の形態に係る魚釣用リールのうち、ハンドルが取り付けられた側と反対側から観察した状態を示し、図５（Ａ）中のＶ（Ｂ）方向から見た概略図。
【図７】第２の実施の形態に係る魚釣用リールを示し、図６中のＶＩＩ−ＶＩＩ線に沿う概略的な部分横断面図。
【図８】第２の実施の形態に係る魚釣用リールの図７中の矢印ＶＩＩＩで示す部分の概略的な拡大図。
【図９】（Ａ）は第２の実施の形態に係る魚釣用リールの左フレームから取り外した左側板の表面側を示す概略図、（Ｂ）は第２の実施の形態に係る魚釣用リールのうち、ハンドルが取り付けられた側と反対側の左側板を取り外した状態で観察した状態を示す概略的な左側面図。
【図１０】第２の実施の形態に係る魚釣用リールの第１の操作機構の回動操作部を示し、（Ａ）は正面図、（Ｂ）は背面図、（Ｃ）は図１０（Ａ）中の１０Ｃ−１０Ｃ線に沿う縦断面図、（Ｄ）は図１０（Ａ）中の１０Ｄ−１０Ｄ線に沿う縦断面図。
【図１１】第２の実施の形態に係る魚釣用リールのうち、ハンドルが取り付けられた側と反対側から観察した状態を示し、かつ、左側板及び第１の操作機構の回動操作部を取り外した状態を示す概略図。
【図１２】第２の実施の形態に係る魚釣用リールのうち、ハンドルが取り付けられた側と反対側から観察した状態を図１１中のＸＩＩ−ＸＩＩに沿って観察した状態を示す概略図。
【図１３】第２の実施の形態に係る魚釣用リールのうち、ハンドルが取り付けられた側と反対側から第１の操作機構を観察した状態を示し、（Ａ）は第１の操作機構の回動操作部の内側突状部を図１２中の第１の段部に配置した状態を示す概略図、（Ｂ）は第１の操作機構の回動操作部の内側突状部を図１２中の第２の段部に配置した状態を示す概略図、（Ｃ）は第１の操作機構の回動操作部の内側突状部を図１２中の第３の段部に配置した状態を示す概略図。
【図１４】第２の実施の形態に係る魚釣用リールのうち、第１の操作機構の概略的な横断面を示し、（Ａ）は図１３（Ａ）に示す状態に対応し第１の操作機構の回動操作部の内側突状部を図１２中の第１の段部に配置した状態を示す概略図、（Ｂ）は図１３（Ｂ）に示す状態に対応し第１の操作機構の回動操作部の内側突状部を図１２中の第２の段部に配置した状態を示す概略図、（Ｃ）は図１３（Ｃ）に示す状態に対応し第１の操作機構の回動操作部の内側突状部を図１２中の第３の段部に配置した状態を示す概略図。
【図１５】第２の実施の形態に係る魚釣用リールを示し、（Ａ）は図５（Ａ）及び図６中のＸＶ（Ａ）−ＸＶ（Ａ）線に沿う部分の要部を示す概略的な縦断面図、（Ｂ）は図５（Ａ）及び図６中のＸＶ（Ｂ）−ＸＶ（Ｂ）線に沿う部分の要部を示すとともに、左手でリールを保持しながら図５及び図６に示す第２の操作機構の回動操作部に左手の親指を当てて操作する状態を示す概略的な縦断面図。
【発明を実施するための形態】
【０００９】
図１から図４は、本発明の好ましい実施形態による魚釣用リール１０を示す。  
図１から図３に示すように、本実施形態の魚釣用リール１０は、両軸受型手巻きリールとして形成してある。図１（Ａ）及び図１（Ｂ）に示すように、ここでは釣り人が左手ＬＨで釣竿８および魚釣用リール１０を保持し、右手ＲＨで魚釣用リール１０のハンドル３０を回すように形成されている場合について説明する。もちろん、左手ＬＨでハンドル３０を操作するようにハンドル３０の配置が逆であっても良い。
【００１０】
図１（Ａ）及び図３に示すように、魚釣用リール１０のリール本体１２は、図示しない連結部材等で一体化される左右一対のフレーム１４ａ，１４ｂのそれぞれの外側に、例えばビス、螺合あるいは嵌合等の手段により、側板１６ａ，１６ｂを取り付けて、全体的に剛性構造のハウジングとして形成され、リール取付脚部１８を介して釣竿８に固定される。  
釣糸が巻回されるスプール２０は、左右のフレーム１４ａ，１４ｂ間に回転自在に支持され、右側板１６ａはスプール２０を回転駆動させる巻取り駆動部２２を支持し、この右側板１６ａと右フレーム１４ａとの間に形成された空間内に、この巻取り駆動部２２を形成する駆動力伝達系やドラグ系等の各種機構が収容されている。なお、上下、左右は図１（Ａ）中に示すように、実釣中における上下、左右の方向を示す。また、前後は図１（Ｂ）中に示すように、実釣中における前後の方向を示す。
【００１１】
図３に示すように、このリール本体１２のフレーム１４ａ，１４ｂ間には、スプール２０を装着してこのスプール２０と共に回転するスプール軸２６の両端部が、例えば図示のようなボール軸受２８ａ，２８ｂを介して回転自在に支持されている。このスプール軸２６の一端側には、ハンドル３０の回転を軸受３２ａ，３２ｂに支持されたハンドル軸３４、ハンドル軸３４に回り止め嵌合されたドラグ機構４４を経由してドライブギヤ３６を介して回転駆動されるピニオンギヤ３８がこのスプール軸２６と同軸状に配置されている。  
なお、ハンドル軸３４には、公知のスタードラグ（ドラグ調整ノブ）４２が配設され、ドライブギヤ３６には公知のドラグ機構４４が配設されているが、これらについては説明を省略する。
【００１２】
ドライブギヤ３６を介して回転駆動されるピニオンギヤ３８は、詳細には図示しない公知のクラッチ（伝達機構）４８を介して、側板１６ａ，１６ｂ間に配置したクラッチレバー５０（図２参照）と連動しており、このクラッチレバー５０を下方に押圧作動することにより、クラッチ４８がＯＦＦとなり軸方向に沿って図３中の右側に移動することができる。例えば、クラッチレバー５０の操作により、スプール軸２６の右端部にピニオンギヤ３８が嵌合した位置すなわち巻取状態と、スプール軸２６の右端部からピニオンギヤ３８を分離した状態（スプールフリー状態）とすることができる。又、ピニオンギヤ３８が分離した状態で、ハンドル３０を回転させると、図示しない公知の復帰機構を介して、ピニオンギヤ３８がスプール軸２６の右端部に嵌合して元の状態（巻取状態）に復帰し、スプール軸２６と一体化されているスプール２０が、ピニオンギヤ３８と共に一体的に回転する。
【００１３】
このスプール２０は、軸方向の両側に形成された１対の鍔部２０ａ間に位置する円筒状の胴部２０ｂを有し、胴部２０ｂの内周側に位置する中央壁部２０ｃを介してスプール軸２６に一体的に装着され、１対の鍔部２０ａと釣糸巻回胴部２０ｂの外周面とで形成される環状溝内に釣糸（図示しない）が巻回される。この環状溝の底部を形成する胴部２０ｂ上に釣糸（図示しない）を均等に巻回するため、ハンドル３０の釣糸巻取り回転に連動して、１対の左右のフレーム１４ａ，１４ｂ間を往復動する公知のレベルワインド機構（図示せず）が配置されている。このレベルワインド機構は、右側板１６ａ内の駆動部と連動する係合子を左右に移動することにより、ハンドル３０の回転操作にともなって、釣糸をスプール２０の胴部２０ｂ上に均等に巻き取ることができる。
【００１４】
そして、左フレーム１４ｂのうち、ハンドル３０の反対側に位置する一側には、スプール２０の過回転を防止する磁気制動装置（ブレーキ装置）５４を配置してある。  
この磁気制動装置５４は、スプール２０と一体回転するように取り付けた導電体５６を備える。図４に示すように、本実施形態の導電体５６は、スプール軸２６に強固に固定されるボス部５６ａと、このボス部５６ａから半径方向外方に延びるディスク状部５６ｂと、このディスク状部５６ｂの外周縁部からハンドル３０と反対側に延びる円筒状部５６ｃとを有し、例えばアルミニウムあるいは銅等の非磁性の導電性材料で形成される。  
円筒状部５６ｃは、後述する内側リング磁石６８および外側リング磁石７０とほぼ等しい軸方向寸法を有し、その全体がこれらの磁石６８，７０間の環状間隙７２内に挿入されている。このため、円筒状部５６ｃは、これらのリング磁石６８，７０の側面側から漏れ出る磁束の範囲内に配置されている。これらの円筒状の導電体５６は、非磁性の導電性材料で形成されているので、これらの磁束内を移動するときに、渦電流が誘導される。
【００１５】
一方、この導電体５６に対向する左フレーム１４ｂの外側には、左側板１６ｂが例えば複数本のねじで強固に固定される。左側板１６ｂは、図２に示す方向から視認できる範囲に規定される略円盤状の外表面ＯＳと、図４に示すように、この外表面ＯＳの外周面に連続的に形成された略筒状の筒状面ＣＳとを有する。なお、外表面ＯＳは、左側板１６ｂの面取りされた縁部を含む。
【００１６】
図３および図４に示すように、左フレーム１４ｂの外側には、例えばビス、螺合あるいは嵌合等の手段により、受部材（セットプレート）５８と、左側板１６ｂとが取り付けられている。そして、左側板１６ｂは、左フレーム１４ｂとの間に空間を有し、その空間内に受部材５８およびスプール制動力調整部８０が配設されている。  
図４に示すように、受部材５８は、スプール軸２６および軸受２８ｂを収容する中央開口６０と同心状に、スプール軸２６側から小径部６２ａと大径部６２ｂとを順に形成した支持台部６２を有する。
【００１７】
小径部６２ａの外周部には、磁石ホルダ６６を収容する環状溝６４を形成してある。磁石ホルダ６６は環状溝６４に対して摺動可能である。この磁石ホルダ６６の外周には、内側リング磁石６８を固定してある。左フレーム１４ｂには、内側リング磁石６８に対向した外側リング磁石７０が固定されている。  
なお、内側リング磁石６８は磁石ホルダ６６が環状溝６４に対して摺動することにより外側リング磁石７０に対して回動可能である。このため、磁石ホルダ６６を支持台部６２の小径部６２ａに対して摺動させることにより磁界を無段階で変化させることができる。
【００１８】
受部材５８は、リール１０の前側で左フレーム１４ｂに対して遠位側（左側板１６ｂ側）に延びる腕部６３を有する。この腕部６３は、左フレーム１４ｂおよび左側板１６ｂとの間のスプール制動力調整部８０の後述する回動操作部（操作部）８６を左側板１６ｂの外表面ＯＳから離すスペーサとして機能する。さらに、腕部６３は、図２に示す回動操作部８６の動作範囲を規定させることも可能である。
【００１９】
受部材５８と左フレーム１４ｂとの間には、それぞれ磁石ホルダ６６から延出された第１延出部７６（図３参照）及び第２延出部（連動部材）７８（図４参照）が配設されている。図２に示すように、第１延出部７６及び第２延出部７８はそれぞれ磁石ホルダ６６から真っ直ぐに延出されていることが好ましい。第１延出部７６と第２延出部７８とは例えば略９０度から略１８０度（好ましくは略１２０度）程度の角度分だけ離れた位置にある。このため、第１の延出部７６（後述する回動操作部８６）及び第２延出部７８（後述する指示部８８）は常に等角度だけ離れた状態で連動して動く。第１延出部７６の下側には、スプール制動力調整部８０の回動操作部８６が形成されている。回動操作部８６は左フレーム１４ｂ及び左側板１６ｂの下側領域に形成された筒状面ＣＳの周方向の空間（凹部）内を移動可能に、左フレーム１４ｂ及び左側板１６ｂの下側に突出（露出）している。そして、回動操作部８６は、ハンドル３０に対して反対側の左側板１６ｂの下部に、左側板１６ｂの外表面ＯＳよりもハンドル３０に近接する側に設けられている。左側板１６ｂの下面（最下面）に対する回動操作部８６の突出量Ｌは例えば０ｍｍよりも大きく、１０ｍｍ以下であることが好ましいが、回動操作部８６を操作できるのであれば、後述する第２の実施の形態のスプール制動力調整部（別の操作部、第２の操作部）１７２のように、左フレーム１４ｂ及び左側板１６ｂの外周面ＯＳに対して引き込んだ状態であっても良い。すなわち、回動操作部８６は左フレーム１４ｂ及び左側板１６ｂの下側で操作可能であれば良い。
【００２０】
そして、回動操作部８６を左フレーム１４ｂに対して例えば図２中のＰ方向に回動させると、第１延出部７６は左フレーム１４ｂの押圧受部１５ａ，１５ｂでその力を受けながらスプール軸２６の軸回りに回動するので、磁石ホルダ６６がＲ方向に回動する。すなわち、内側リング磁石６８が固定された外側リング磁石７０に対して回動し、内側リング磁石６８に対する外側リング磁石７０の相対位置が変化する。これにより、導電体５６の円筒状部５６ｃを配置した内側リング磁石６８と外側リング磁石７０との間に形成される環状間隙７２の磁界の強さを、例えば制動力を全く形成しないゼロ制動の状態から、最大制動力を形成する全制動の状態まで無段階的に変化させることができる。
【００２１】
図１（Ｂ）、図２及び図４に示すように、左側板１６ｂの外表面ＯＳには第２延出部７８の現在位置（回動位置）を確認するために外表面ＯＳを貫通した窓部（認識手段、連動部材認識部）Ｗが形成されている。窓部Ｗは左側板１６ｂの上下方向の半分よりも上側に形成されていることが好ましい。窓部Ｗは例えば扇子の扇面（地紙）のような形状に開口されている。窓部Ｗには例えばポリカーボネート、ＰＥＴ、ＰＭＭＡ等の透明なプラスチック材等が嵌め込まれて左側板１６ｂ内にゴミや海水等の浸入を防止するようにしても良いし、図４に示すように何も存在しない、いわゆる素通しの状態であっても良い。なお、窓部Ｗのうち、左側板１６ｂの外表面ＯＳの面取りされた縁部に近接する側には、第２延出部７８の位置、すなわち、制動装置５４の制動状態を視覚的に容易に認識できるようにする目盛り（連動部材認識部）ＳＭが付されている。目盛りＳＭは、制動装置５４によりスプール２０の制動力を増す方向を「強」又は「大」、制動力を小さくする方向を「弱」又は「小」として表示したり、用途（例えばロングキャストをする際に用いる側等）を表示するなど、種々の表示で第２延出部７８（指示部８８）の位置を容易に認識させることができる。なお、目盛りＳＭは図４中では外表面ＯＳに対して凹状に形成しているが、凸状であることも好適であるし、凹状及び凸状を組み合わせても良い。また、目盛りＳＭは印刷等、外表面ＯＳに対して凹凸がない状態であっても良い。  
なお、第２延出部７８のうち、磁石ホルダ６６から最も離れた遠位端部には、窓部Ｗを通して容易に認識できる形状を有していたり、色付けされたりして目盛りＳＭに対する位置を容易に認識できる指示部（認識手段）８８が形成されている。すなわち、指示部８８は例えば一般的な時計の針のように、目盛りＳＭに対する指示針（ポインタ）の役割を果たす。
【００２２】
回動操作部８６を左フレーム１４ｂに対して例えば図２中のＰ方向に回動させると、第１延出部７６が連動して回動して磁石ホルダ６６がＲ方向に回動する。このため、第２延出部７８が磁石ホルダ６６に連動して回動する。そして、第２延出部７８の回動によって、指示部８８も回動する。なお、回動操作部８６は所定の範囲内でのみ回動するので、指示部８８も所定の範囲内でのみ回動する。
【００２３】
図１（Ａ）に示すように、釣り人が例えば釣竿８及びリール１０を左手ＬＨで握持保持し、右手でハンドル３０を操作する場合、左手ＬＨの人差し指ＬＦを釣竿８の下側にあてがい、人差し指ＬＦの付根から親指（図示せず）の付根にかけての領域ＬＴｈを左側板１６ｂの外表面ＯＳにあてがって握持保持する。図１（Ｂ）に示すように、親指ＬＴはリール本体１２の上側にあてがう。例えば、図１（Ａ）に示すように、左側板１６ｂの外表面ＯＳの下部領域と釣竿８の下側（釣竿８の外周が円形であると仮定したときの接線に相当する位置）とを結ぶ線分ＬＳを仮想する。この線分ＬＳは回動操作部８６を横切っておらず、人差し指ＬＦの指腹とも回動操作部８６の近傍で交差していない。このため、人差し指ＬＦの指腹は回動操作部８６に対して離れた位置にある。すなわち、回動操作部８６に対して左手ＬＨの全体が離れた位置にある。したがって、左手ＬＨが回動操作部８６に当たることが防止（触れ難く形成）されているので、回動操作部８６を誤操作するのを防止できる。また、左手ＬＨの掌が当たる左側板１６ｂの外表面ＯＳには突起物（凸状の目盛りＳＭは除く）がないので、釣竿８及びリール１０を左手ＬＨで握持保持したときのフィット感を良好に維持することができる。  
一方、回動操作部８６を操作する場合、釣竿８から人差し指ＬＦを離して回動操作部８６にあてがうことによって操作可能である。スプール２０を回転させると、導電体５６には内側リング磁石６８および外側リング磁石７０による磁界の影響で渦電流が発生し、スプール２０の回転を抑制する。
【００２４】
第２の延出部７８（指示部８８）は第１延出部７６（回動操作部８６）と連動して常に等角度だけ離れた状態で動く。このため、窓部Ｗで指示部８８の位置を認識できるので、回動操作部８６の位置を認識できる。したがって、回動操作部８６がどの位置にあるのかを認識でき、制動装置５４の制動力を知ることができる。そして、魚釣りを実際にしている状態で回動操作部８６の位置、すなわち、制動装置５４の制動力を確認する場合、手首を大きく動かしたり釣り人自身の顔を大きく動かして回動操作部８６の位置を視認しなくても、左側板１６ｂの外表面ＯＳに形成された窓部Ｗから第２延出部７８の指示部８８の位置を確認することによって制動装置５４の制動力を確認できる。このとき、回動操作部８６の位置を目視確認するよりも、窓部Ｗを通して指示部８８の位置を目視確認する方が釣竿８及びリール１０の移動量や釣り人自身の顔の移動量を小さくできる。  
したがって、回動操作部８６の位置を目視確認する場合、釣竿８及びリール１０を大きく動かすことが必要となるが、窓部Ｗを通して指示部８８を目視観察できるので、釣竿８及びリール１０の移動量、釣り人の顔の移動量を大きく減少させることができる。このため、例えばルアー釣りでルアーを泳がせるために釣糸を巻き取っている状態で制動装置５４の制動状態を目視確認する場合に、釣竿８及びリール１０の移動量や釣り人の顔の移動量を小さくでき、意図せず釣竿８の穂先の位置を急激に大きく変えてしまうなど、ルアーの泳ぎに影響を与えるのを防止できる。
【００２５】
また、図４に示す指示部８８は左側板１６ｂの外表面ＯＳに対して僅かに右側板１６ａ側の位置にあり、左手の指腹等で触ることができる。このため、窓部Ｗに対する指示部８８の位置を釣り人が覚えておけば指示部８８を目視観察する必要はなく、指示部８８の手触り（触覚）だけで指示部８８の位置、すなわち、回動操作部８６の位置を認識することができる。したがって、制動装置５４が発揮する制動力を窓部Ｗを通して指示部８８を触るだけで認識できる。この場合、左手ＬＨの親指や人差し指等で窓部Ｗを通して指示部８８に触る際、指の位置を変更するだけで良いので、釣竿８及びリール１０の移動量や釣り人の顔の移動量をゼロ又は略ゼロにすることができる。したがって、制動装置５４の制動状態を確認するのに実際の釣りに影響を与えるのを防止できる。
【００２６】
なお、指示部８８は図４中の上下方向の幅は一定であるが、窓部Ｗは左側板１６ｂの外表面ＯＳに近接する側の開口量が左側板１６ｂの裏面ＩＳ側の開口量に比べて大きい。このため、左側板１６ｂの外表面ＯＳに近接する側の方が裏面ＩＳ側に比べて指示部８８の縁部と窓部Ｗとの間が大きいので、指示部８８に指腹を当てる際に容易に当てることができる。一方、指示部８８と窓部Ｗとの間は左側板１６ｂの外表面ＯＳから裏面ＩＳに向かうにつれて狭くなるので、指示部８８と窓部Ｗとの間からゴミが左側板１６ｂの内部に侵入するのを抑制できる。
【００２７】
指示部８８には滑り止め等の加工が施されていることが好ましい。また、第２延出部７８の厚さ等を適宜に設定したり、剛性を有する材料を用いることが好ましい。そうすると、指示部８８に左手の指の腹を押し当てて指示部８８の位置、すなわち、回動操作部８６の位置を変化させることができる。このように、指示部８８を左手ＬＨの指腹で触れることができる場合、第１延出部７６の回転操作部８６と、第２延出部７８の指示部８８とのいずれを操作しても、制動装置５４の制動状態を適宜に設定できる。
【００２８】
以上説明したように、回転操作部８６によって調整される制動装置５４の制動状態をリール本体１２を握持保持した釣人の視覚又は触覚（視覚及び触覚の少なくとも一方）により認識させる認識手段（窓部Ｗ、指示部８８）を左側板１６ｂに設けた。このため、釣竿８及びリール１０の移動量や釣り人の顔の移動量を減少（ゼロを含む）させた状態で制動装置５４の制動状態を確認できるので、特にルアー釣りの場合など、実際の釣りを邪魔せずに、必要な場合に制動装置５４の制動状態の調整を容易に行うことができる。
【００２９】
このリール１０をリール取付脚部１８を介して釣竿８に取り付けた釣り具を用いて魚釣りを実際に行う場合の一連の動作について簡単に説明する。（１）ハンドル３０を操作して釣糸を巻き取るとともに、左手ＬＨでリール１０を保持しつつ人差し指ＬＦで回動操作部８６を操作し、次キャスティング時の調整を行う。（２）そして、釣糸の巻取りを完了する。（３）釣竿８とリール１０を左手ＬＨから右手ＲＨに持ち替えて、右手ＲＨで釣竿８とリール１０を持つ。（４）このように持った状態でキャスティングする。  
すなわち、この実施の形態に係る釣り具を用いると、釣竿８を操作しながら、又は、リール１０のハンドル３０を操作しながら人差し指ＬＦ一本でスプール２０の制動調整を行うことができる。このとき、窓部Ｗに対する指示部８８の位置を目視観察することもでき、また、手触りで指示部８８の位置を認識して制動装置５４の状態を認識することもできる。したがって、右手ＲＨで釣竿８とリール１０を持った後に左手ＬＨで回動操作部８６を調整する（スプール２０の制動調整を行う）手間を省くことができる。このため、一連の動作のサイクルを短縮でき、一定時間内での投入回数を多くすることができるので、魚釣りのチャンスを逃し難い。そして、回動操作部８６を操作するのに釣竿８を持ち替えたりする手間がないので、魚釣りをしながら次の投入プランに合わせてスプール２０の制動力を調整できる。
【００３０】
その一方、図１に示すように、左手ＬＨで釣竿８とリール１０を保持している際に、回動操作部８６と左手ＬＨとの間には空間が形成されるので、回動操作部８６に左手ＬＨを当てるのを防止でき、意図せず回動操作部８６を操作する誤操作を防止できる。また、リール１０を左手ＬＨで保持した状態で、左側板１６ｂの外表面ＯＳには突起物がないので、掌に喰い込むことがなく、握持保持性が良く、必要な場合に人差し指ＬＦを動かして回動操作部８６の一部に人差し指ＬＦを掛けることによって、容易に回動操作部８６を操作できる。また、手指が回動操作部８６に強く当たることによる誤操作も発生し難い。
【００３１】
なお、この実施形態では、第１延出部７６に連動して動く第２延出部７８を左側板１６ｂの外表面ＯＳに形成した窓部Ｗから観察する例について説明したが、左側板１６ｂの筒状面ＣＳに窓部Ｗが形成されていても良いし、外表面ＯＳ及び筒状面ＣＳの両者にまたがって窓部Ｗが形成されていることも好適である。これらの場合、窓部Ｗが左手の親指が当たる位置よりも前方側にあれば、握持しているリール１０の手が視認の妨げになり難く、かつ、窓部Ｗがリール１０の操作の妨げになり難い。また、窓部Ｗは同様の理由で図１（Ｂ）及び図２に示すようにリール１０を配置したときに左側板１６ｂの上下方向の半分より上側に形成されることが好ましい。そうすると、指示部８８を目視観察する場合に釣り人自身の顔を動かしたり、釣竿８及びリール１０を動かす量を減らすことができる。
【００３２】
また、この実施形態では磁石ホルダ６６から第２延出部７８を延出させた例について説明したが、例えば磁石ホルダ６６や第１延出部７６の回転量や位置を認識できる、例えば太陽光発電等により機能するエンコーダや位置センサ等を用いれば、太陽光発電等による液晶表示や有機ＥＬ、ＬＥＤ等の発光による表示（光表示）等によっても制動装置５４の状態を視覚的に認識できる。この場合、その表示（有機ＥＬ、ＬＥＤ等の発光による表示）をリール１０の上側から観察できる位置（リール本体１２）に配置すれば、視覚的に容易に制動装置５４の状態を認識できる。また、視覚的だけでなく、上述したように、左側板１６ｂに触覚的に制動装置５４の状態を認識させるようにすること、すなわち視覚的及び触覚的に認識させることの両者を組み合わせて配置することも好適であるし、一方だけ配置しても良い。
【００３３】
次に、第２の実施の形態について図５から図１５を用いて説明する。この実施の形態は第１の実施の形態の変形例であって、第１の実施の形態で説明した部材と同一の部材又は同一の機能を有する部材には同一の符号を付し、詳しい説明を省略する。すなわち、第２の実施の形態のリール１０は、第１の実施の形態で説明したリール１０の構造を適宜に有する。  
図５（Ａ）及び図５（Ｂ）に示すように、この実施の形態においても、左手ＬＨで釣竿８及び魚釣用リール１０を保持し、右手ＲＨでハンドル３０を操作する場合について説明する。
【００３４】
図５（Ａ）及び図５（Ｂ）に示すリール本体１２の左右一対のフレーム１４ａ，１１４ｂの上側であって、側板１６ａ，１１６ｂの間にはサムレスト１１９が、例えばビス、螺合あるいは嵌合等の手段を適宜に組み合わせて取り付けられている。この実施形態では、サムレスト１１９の外観はスプール２０に巻回された釣糸に親指ＬＴをかけてサミング操作を行うためにリール１０の後側が開いた略Ｕ字状（図５（Ａ）参照）である。
【００３５】
図６および図７に示すように、この実施の形態ではスプール２０の制動力の調整を行う第１および第２の操作機構（スプール制動力調整部）１１０，１１２が左フレーム１１４ｂと左側板１１６ｂとサムレスト１１９の左側縁部１１９ａとの間に配設された例について説明する。第１の操作機構１１０の操作部（第１の操作部）１２４を操作すると、スプール２０に対する制動効果を大きく変化させて基準制動力を設定でき、第２の操作機構１１２のスプール制動力調整部（別の操作部、第２の操作部）１７２を操作すると、第１の操作機構１１０の操作部１２４の操作による基準制動力（制動効果）を微調整できる。
【００３６】
図９（Ｂ）に示すように、左フレーム１１４ｂの平面部１１５には、左側板１１６ｂの後述する着脱ネジ（係合部）１１８が螺合するネジ穴（係合部）１１５ａが形成されている。このネジ穴１１５ａは左フレーム１１４ｂの下側の下側フランジ部１１５ｂの前方側縁部に近接した位置に形成されている。
【００３７】
図９（Ａ）に示す左側板１１６ｂは、左フレーム１１４ｂを覆うとともに、左フレーム１１４ｂから左方に突出した第１および第２の操作機構１１０，１１２を覆う空間を有するカバー部材として形成されている。左側板１１６ｂは、左手ＬＨの掌を受ける外面部１１７と、上側縁部ＵＬと、下側縁部ＬＬとを一体的に有する。  
外面部１１７は、左フレーム１１４ｂに対して左側板１１６ｂを装着した状態で外側となり左手ＬＨの掌を受けるように膨出した表面部（外壁部）ＯＳと、左フレーム１１４ｂに対向するように内側となり第１および第２の操作機構１１０，１１２を収容する凹状の裏面部（内壁部）ＩＳ（図８参照）とを有する。この実施形態における左側板１１６ｂの表面部ＯＳは左手ＬＨの掌の母指球周辺に当たる位置が滑らかな膨らみを持った状態に形成されている。左側板１１６ｂの裏面部ＩＳは、左フレーム１１４ｂおよび左フレーム１１４ｂに装着された第１および第２の操作機構１１０，１１２との間に空間を形成する。なお、上側縁部ＵＬおよび下側縁部ＬＬは表面部ＯＳに滑らかに連続して形成されている。  
上側縁部ＵＬは、この実施形態ではサムレスト１１９の左側縁部１１９ａに嵌合する嵌合部として形成され、例えばその後方側で外方に向かって突出する突起部（爪部）ＵＬａを有する。そして、上側縁部ＵＬはその突起部ＵＬａによってサムレスト１１９の左側縁部１１９ａの下側の所定の位置に嵌合される。左側板１１６ｂの上側縁部ＵＬとサムレスト１１９の左側縁部１１９ａとが嵌合された場合、サムレスト１１９の左側縁部１１９ａと左側板１１６ｂの表面部ＯＳとの間の隙間は小さく、サムレスト１１９の左側縁部１１９ａと左側板１１６ｂの表面部ＯＳとの間の境界部分は、指等に対する引っ掛かりなく滑らかに処理されている。
【００３８】
下側縁部ＬＬのうちスプール軸２６の延長線上よりも前側には、図９（Ａ）に示すように、着脱ネジ１１８が装着されている。なお、着脱ネジ１１８の頭部１１８ａの一部は、下側縁部ＬＬの前側の外表面に対して突出していても、前側の外表面に対して引き込まれた状態にあっても、操作可能であれば良い。そして、着脱ネジ１１８を左フレーム１１４ｂのネジ穴１１５ａに螺合可能である。着脱ネジ１１８のネジ部（図示せず）および左フレーム１１４ｂのネジ穴１１５ａは左ネジとして形成されていることが好ましい。これは、釣竿８やリール１０の操作の際に頭部１１８ａに指が当たっても着脱ネジ１１８が締まる方向に力を加えるようにするためである。  
なお、下側縁部ＬＬには、第１および第２の操作機構１１０，１１２の後述する操作突起１６０が操作可能に配設される凹部（操作開口部）１２０（図１５（Ａ）参照）が形成されている。
【００３９】
また、外表面ＯＳはスプール軸２６を延長した位置周辺（第１の操作部１２４の周辺）から第２の操作部１７２の周辺が最も膨らんでいる。例えば本実施形態では図９（Ａ）に示す左側板１１６ｂの外表面ＯＳのうち、一点鎖線Ｌで示す部分がその上下よりも左フレーム１４ｂに対して最も突き出した部分（領域）である。外面部１１７には回動操作部（第１の操作部）１２４の環状部１４２を配置する第１の凹部（認識手段、連動部材認識部、窓部）１８６と、第２の操作部１７２を操作可能に配置する第２の凹部（開口部、窓部）１８８とが形成され、下側面ＬＬには回動操作部１２４の操作突起（第１の操作部）１６０を操作可能に配置する図１５（Ａ）に示す開口部（凹部）１２０が形成されている。
【００４０】
図８に示すように、第１操作機構１１０は、セットプレート１２２と、回動操作部（第１の操作部）１２４と、内側磁石ホルダ１２６と、外側磁石ホルダ１２８とを有する。  
セットプレート１２２は、左フレーム１１４ｂに対してネジ留めや嵌合等の手段により固定されている。セットプレート１２２は、スプール軸２６および軸受２８ｂを収容する中央開口１３２と同心状に、スプール軸２６側から小径部１３４ａと大径部１３４ｂとを順に形成した支持台部１３４を有する。  
小径部１３４ａの外周部には、内側磁石ホルダ１２６を収容する環状溝１３６を形成してある。内側磁石ホルダ１２６は環状溝１３６に対して摺動可能である。この内側磁石ホルダ１２６の外周には、第１の実施の形態で説明した内側リング磁石６８を固定してある。  
大径部１３４ｂの内周部には、外側磁石ホルダ１２８を収容する環状溝１３８を形成してある。外側磁石ホルダ１２８は環状溝１３８に対して摺動可能である。この外側磁石ホルダ１２８の内周には、第１の実施の形態で説明した外側リング磁石７０を固定してある。  
すなわち、セットプレート１２２のうち、スプール２０側には、内側磁石ホルダ１２６および外側磁石ホルダ１２８が配設されている。そして、内側磁石ホルダ１２６は外側磁石ホルダ１２８に対して回動可能である。また、内側磁石ホルダ１２６は外側磁石ホルダ１２８とともにスプール軸２６の軸方向への移動は可能であるが、単独での移動は規制されている。
【００４１】
図９（Ｂ）には左フレーム１１４ｂに対して図９（Ａ）に示す左側板１１６ｂを取り外した状態の第１の操作機構１１０のセットプレート１２２および回動操作部１２４を示す。セットプレート１２２の外側には、図１０（Ａ）から図１０（Ｄ）に示す回動操作部１２４が回動可能に配設されている。図１１はセットプレート１２２から回動操作部１２４を取り外した状態を示す。図１２には、図１１中のＸＩＩ−ＸＩＩ線に沿った方向から観察した状態を示す概略図を示す。
【００４２】
回動操作部１２４は、図１０（Ａ）から図１０（Ｄ）に示すように、略環状に形成された環状部１４２と、環状部１４２の縁部から例えば環状部１４２の中心軸に略平行に延出された延出部１４４ａ，１４４ｂと、延出部１４４ａ，１４４ｂから環状部１４２の径方向外方に向かって突出したフランジ部１４６ａ，１４６ｂとを有する。  
環状部１４２には適宜の間隔ごとに目盛り（認識手段）１４２ａが付されている。これら目盛り１４２ａは環状部１４２に対して突出していたり、着色により目立つように形成されている。これら目盛り１４２ａは、後述するように、左側板１１６ｂの第１の凹部（認識手段）１８６を通して視認可能である。このとき、目盛り１４２ａは図５（Ａ）に示す上面からも視認可能であるし、図５（Ｂ）に示す左側面からも視認可能である。  
なお、環状部１４２の目盛り１４２ａを親指ＬＴ等の指腹で操作する場合、目盛り１４２ａが滑り止めとして機能するように、凸状等に形成されていることが好ましい。
【００４３】
延出部１４４ａ，１４４ｂは、環状部１４２の中心軸に対して対向する位置に形成されている。フランジ部１４６ａ，１４６ｂは、延出部１４４ａ，１４４ｂのうち環状部１４２に対する遠位の位置から環状部１４２の中心軸に対して離れる方向に形成されている。  
一方、セットプレート１２２には回動操作部１２４のフランジ部１４６ａ，１４６ｂを回動可能に保持する１対の保持部１５０ａ，１５０ｂ（図９、図１１、図１３、図１４参照）が形成され、回動操作部１２４を所定の範囲内で回動可能としている。なお、回動操作部１２４の中心軸はスプール軸２６の中心軸と略一致する。また、回動操作部１２４はスプール軸２６の中心軸回りに回動するが、セットプレート１２２の１対の保持部１５０ａ，１５０ｂによって保持されているので、スプール軸２６の軸方向には移動しない。
【００４４】
図１０（Ａ）から図１０（Ｄ）に示すように、１対の延出部１４４ａ，１４４ｂには、環状部１４２の中心軸に向かって突出する内側突状部１４８ａ，１４８ｂが形成されている。セットプレート１２２の大径部１３４ｂの環状溝１３８に摺動可能に配設された外側磁石ホルダ１２８には、図１２に示すように、内側突状部１４８ａ，１４８ｂが係合される係合溝１５２が形成されている。この係合溝１５２は、スプール軸２６と平行に形成された軸方向溝１５４と、軸方向溝１５４に連続し例えば略螺旋状に形成された螺旋状溝１５６とを有する。このうち、軸方向溝１５４は内側突状部１４８ａ，１４８ｂを外側磁石ホルダ１２８に着脱する際に用いられる。
【００４５】
そして、回動操作部１２４の内側突状部１４８ａ，１４８ｂが外側磁石ホルダ１２８の係合溝１５２に係合された状態で、回動操作部１２４を回動させると、回動操作部１２４の内側突状部１４８ａ，１４８ｂは外側磁石ホルダ１２８の係合溝１５２の螺旋状溝１５６をスプール軸２６の軸方向に押圧する。すなわち、外側磁石ホルダ１２８がスプール軸２６の軸方向に沿って移動する。図８および図１４に示すように、外側磁石ホルダ１２８と内側磁石ホルダ１２６とは互いにスプール軸２６の軸方向に一体に動く構成となっているため、外側磁石ホルダ１２８とともに内側磁石ホルダ１２６もスプール軸２６の軸方向に沿って移動する。
【００４６】
図１０（Ａ）から図１０（Ｃ）に示すように、回動操作部１２４は、環状部１４２から延出された突出部１６０ａを介して操作突起１６０を有する。図６および図９に示すように、この操作突起１６０は、リール１０の左側板１１６ｂの下側面ＬＬから突出するように形成されている。なお、図示しないが、左側板１１６ｂの下側面ＬＬには、操作突起１６０の回動量を所定の範囲内に規制するように開口部が規定されている。  
なお、操作突起１６０は、左側板１１６ｂの下側面ＬＬから突出する突出量は小さく、第１の実施の形態で説明したように、釣竿８および本実施形態に係るリール１０を握持保持したときに左手ＬＨが当たらない位置にあるように設定されている。  
そして、図１３（Ａ）から図１３（Ｃ）に示すように、セットプレート１２２に装着された回動操作部１２４の操作突起１６０を操作し、操作突起１６０に連動して動く環状部（連動部材）１４２すなわち回動操作部１２４をセットプレート１２２に対して回動させると、図１４（Ａ）から図１４（Ｃ）に示すように、導電体５６の円筒状部５６ｃが内側磁石６８と外側磁石７０との間の環状間隙７２に入る量が変更される。なお、図１３（Ａ）に示す状態は図１４（Ａ）に、図１３（Ｂ）に示す状態は図１４（Ｂ）に、図１３（Ｃ）に示す状態は図１４（Ｃ）にそれぞれ対応する。
【００４７】
この実施の形態では、図１２に示すように、外側磁石ホルダ１２８の係合溝１５２の螺旋状溝１５６は３つの段部１５６ａ，１５６ｂ，１５６ｃを連続して有する。第１段部１５６ａと第２段部１５６ｂとの間に、第２段部１５６ｂと第３段部１５６ｃとの間には共に段差（滑らかに連続していない部分）があり、回動操作部１２４の内側突状部１４８ａ，１４８ｂが第１段部１５６ａと第２段部１５６ｂとの間や第２段部１５６ｂと第３段部１５６ｃとの間を移動する際にクリック感が得られる。  
第１段部１５６ａは軸方向溝１５４に近接する位置にあり、第１段部１５６ａに内側突状部１４８ａ，１４８ｂが係合されているときには、図１４（Ａ）に示すように、内側磁石６８および外側磁石７０に対する導電体５６のディスク状部５６ｂの位置（距離Ｌ１）は最も遠い。このため、導電体５６の円筒状部５６ｃが磁石６８，７０の間に配設されている量は小さい。  
第２段部１５６ｂは、第１段部１５６ａと螺旋状溝１５６の最も奥側の第３段部１５６ｃとの間にあり、図１４（Ｂ）に示すように、第１段部１５６ａに内側突状部１４８ａ，１４８ｂが係合されている状態よりも内側磁石６８および外側磁石７０に対する導電体５６のディスク状部５６ｂの位置は近い（距離Ｌ２＜Ｌ１）。このため、導電体５６の円筒状部５６ｃが磁石６８，７０の間に配設されている量は、第１段部１５６ａに内側突状部１４８ａ，１４８ｂが係合されている状態よりも大きい。  
第３段部１５６ｃは螺旋状溝１５６の最も奥側にあり、図１４（Ｃ）に示すように、第２段部１５６ｂに内側突状部１４８ａ，１４８ｂが係合されている状態よりも内側磁石６８および外側磁石７０に対する導電体５６のディスク状部５６ｂの位置は近い（距離Ｌ３＜Ｌ２＜Ｌ１）。このため、導電体５６の円筒状部５６ｃが磁石６８，７０の間に配設されている量は、第２段部１５６ｂに内側突状部１４８ａ，１４８ｂが係合されている状態よりも大きい。
【００４８】
すなわち、操作突起１６０を図１３（Ａ）に示す位置から図１３（Ｃ）に示す位置に向かって回動させると、図１４（Ａ）から図１４（Ｃ）に示すように、円筒状部５６ｃが環状間隙７２に入る量が次第に大きくなる。このため、図１３（Ｃ）および図１４（Ｃ）に示す位置では、磁石６８，７０により大きな磁力を受ける。一方、図１３（Ａ）および図１４（Ａ）に示すように、円筒状部５６ｃが環状間隙７２に入る量が小さくなると、磁石６８，７０により受ける磁力が小さくなる。このように、回動操作部１２４を操作することによって、スプール２０の基準制動力を設定することができる。その基準制動力（抑制力）は第１段部１５６ａに内側突状部１４８ａ，１４８ｂがある状態から、第２段部１５６ｂ、第３段部１５６ｃと奥側に移動するにつれて大きくなる。  
そして、スプール２０を回転させると、導電体５６には内側リング磁石６８および外側リング磁石７０による磁界の影響で渦電流が発生するが、導電体５６の円筒状部５６ｃが磁石６８，７０の間に配設されている量（内側突状部１４８ａ，１４８ｂが段部１５６ａ，１５６ｂ，１５６ｃに係合されている位置）に応じてスプール２０の回転抑制力を規定する。
【００４９】
図９（Ａ）に示すように、左側板１１６ｂの第１の凹部１８６は、左側板１１６ｂの上方で、上下方向よりも前後方向に長く形成されている。なお、第１の凹部１８６は第２の凹部１８８の後方に形成されている。左フレーム１１４ｂに配設された回動操作部１２４の環状部１４２は第１の凹部１８６を通してその一部が視認できる状態にある。すなわち、環状部１４２の目盛り１４２ａは第１の凹部１８６を通して視認可能である。そして、回動操作部１２４の環状部１４２は、図１５（Ａ）中に破線で示す左側板１１６ｂの外表面ＯＳの延長面Ｓから外方に突出させることなく、第１の凹部１８６の内側に配置した状態で外部に露出させている。  
図９（Ａ）及び図１５（Ａ）に示すように、左側板１１６ｂの第１の凹部１８６の縁部には、左手ＬＨの親指ＬＴを保護したり、左側板１１６ｂの第１の凹部１８６から左フレーム１１４ｂとの間にゴミが浸入するのを防止するため、例えば環状の保護部材１６２が固定されている。この保護部材１６２は硬度が低く、摩擦係数が小さい材料としてＰＴＦＥ、ナイロン、ＡＢＳ樹脂、アセタール樹脂（ＰＯＭ）などの樹脂材が用いられることが好ましい。  
第１の凹部１８６の下側の縁部に配設された保護部材１６２は、親指ＬＴを置く部分として第１の凹部１８６の下側縁部から外部に突出した状態に固定されている。第１の凹部１８６の上側の縁部に配設された保護部材１６２は、ゴミの侵入を防止するように左側板１１６ｂの内周面から回動操作部１２４に向かって延出されている。
【００５０】
図５（Ａ）に示すように、操作部１２４の環状部１４２を上側から見た場合、環状部１４２の目盛り１４２ａの一部が第１の凹部１８６から突出している。このため、左側板１１６の外表面ＯＳを上側に向かって傾けなくても回動操作部１２４の環状部１４２の状態を確認することができる。したがって、回動操作部１２４の状態を確認したい場合、釣りの際の釣竿８及びリール１０の移動量、顔の移動量を抑制した状態で視認により確認することができる。  
このように、リール１０の上側から観察したときに回動操作部１２４の環状部１４２の目盛り１４２ａを視認できるのは、左側板１１６ｂの外表面ＯＳに対する法線が水平状態よりも上向きにある状態である。このような状態（条件）を満たした上で左側板１１６ｂに開口１８６を形成した場合、外表面ＯＳは上側よりも下側の方が左側に出っ張る。このため、図１５（Ａ）に示すように、目盛り１４２ａを突起１６２ａに隣接する位置に配置すれば、目盛り１４２ａを上側から観察できる。  
なお、回動操作部１２４の環状部１４２を親指ＬＴの指腹に触れるように配置しても良いし、触れないように配置しても良い。触れるように配置する場合、指の感覚で第１の操作機構１１０の状態（基準制動力）を容易に認識できる。この場合、環状部１４２を操作部として用いても良い。この状態でスプール２０の基準制動力を調整する場合、操作突起１６０を操作しても良いし、環状部１４２を操作しても良い。
【００５１】
図５（Ｂ）及び図６に示す回動操作部１２４の環状部１４２の目盛り１４２ａには、例えば数字等が付されている。一方、保護部材１６２には突起１６２ａが形成されている。突起１６２ａは図９（Ａ）に示すように保護部材１６２のうちの下側に形成され、環状部１４２の目盛り１４２ａの数値がいくつであるかを表わすポインタとして機能する。このとき、図１５（Ａ）に示すように、回動操作部１２４の環状部１４２の目盛り１４２ａと保護部材１６２の突起１６２ａとは近接した位置にあるので、突起１６２ａ及び環状部１４２の目盛り１４２ａは見る角度によらず、突起１６２ａが指し示す位置を特定できる。
【００５２】
図８及び図１５（Ｂ）に示すように、第２の操作機構１１２は、スプール制動力調整部（第２の操作部）１７２と、第１の操作機構１１０の内側磁石ホルダ１２６から延出された延出部１７４と、この延出部１７４の遠位端に固定された連動歯車１７６とを有する。延出部１７４と連動歯車１７６は一体でも良いが、別体とすると組み立て性が良いので別体であることが好ましい。  
スプール制動力調整部１７２は、セットプレート１２２及び左フレーム１１４ｂに対して螺合固定可能な螺合固定部１８２と、螺合固定部１８２の回りを回動可能な回動操作部１８４とを備えている。回動操作部１８４は螺合固定部１８２によってセットプレート１２２に対して適度に押圧され、適当な力を加えないと回動操作部１８４が回動しないようになっている。
【００５３】
回動操作部１８４は外周部１８４ｃの縁部１８４ｄに少なくとも凹凸による滑り止めＫが形成された例えば円形ダイヤル形状を有する。このような円形ダイヤル形状を有すると、図１５（Ｂ）に示す親指ＬＴの腹部が外周部１８４ｃと側面１８４ｅの２面に跨る縁部１８４ｄへの押圧となって接触面積を大きく取れ、かつ、親指ＬＴへの圧力を広範囲に分散できる。このため、左手ＬＨの親指ＬＴが痛くなり難く、回動操作部１８４の操作もし易い。また、親指ＬＴを回動操作部１８４に押し当てた際に凹凸部に指の腹が喰い込むので、操作の際の滑りを防止できる。  
なお、凹凸による滑り止めＫは回動操作部１８４の外周部１８４ｃの全体や側面１８４ｅの全体に形成しても良い。また、回動操作部１８４の径方向内方の側面１８４ｅに目盛り１８４ｆや、回動操作部１８４に対向する保護部材１９０に指標部１９０ａ等が形成されている。なお、保護部材１９０は上述した保護部材１６２と一体であっても良い。
【００５４】
図１５（Ｂ）に示すように、回動操作部１８４の縁部１８４ｄの近傍の側面１８４ｅには、例えば環状に溝１８４ａが形成されている。このため、指に水分が付着している場合に、その水分を溝１８４ａに逃がすことができ、回動操作部１８４を滑り難くすることができる。特に、左側板１１６ｂにより形成される第２の凹部１８８内に親指ＬＴを押し付けるので、この回動操作部１８４への親指ＬＴへの押し付け力は小さくなり、これらの滑り防止は効果的である。なお、このような形状、機能をそのまま上述した環状部１４２の目盛り１４２ａに用いることも好ましい。  
また、回動操作部１８４には、セットプレート１２２に対して当接するときにクリック音を発生するリーフスプリング１９２が配設されている。このため、回動操作部１８４を操作すると、クリック音が発生し、調整位置がズレ難くなる。  
そして、スプール制動力調整部８０の回動操作部１８４の外周には回動操作部側歯車１８４ｂが形成され、これが連動歯車１７６に噛み合わせられている。このため、回動操作部１８４を左フレーム１１４ｂに対して例えば図６中のＰ方向に回動させると、回動操作部側歯車１８４ｂを介して連動歯車１７６をＱ方向に回動させる。そして、連動歯車１７６に連結された第１延出部７６を介して内側磁石ホルダ６６が外側磁石ホルダ１２８に対してＲ方向に回動する。このため、内側リング磁石６８に対する外側リング磁石７０の相対位置が変化する。これにより、導電体５６の円筒状部５６ｃを配置した内側リング磁石６８と外側リング磁石７０との間に形成される環状間隙７２の磁界の強さを微調整することができる。
【００５５】
したがって、第１の操作機構１１０と第２の操作機構１１２とを組み合わせることによって、スプール２０に対して所望の制動力を付与することができる。
【００５６】
図７および図８に示すように、左側板１１６ｂは、左フレーム１１４ｂを覆うとともに、左フレーム１１４ｂから左方に突出した第１および第２の操作機構１１０，１１２を覆う空間を有するカバーとして形成されている。この左側板１１６ｂには、第１の操作機構１１０の回動操作部１２４の環状部１４２の一部を視認可能な第１の凹部１８６と、第２の操作機構１１２の回動操作部１８４の一部を操作可能なように左手ＬＨの親指ＬＴを押し当てるための第２の凹部（開口部）１８８とが形成されている。
【００５７】
図６に示すように、左側板１１６ｂの第２の凹部１８８は、左側板１１６ｂの上方かつ前方側（第１の凹部１８６の前方側）で、上下方向よりも前後方向に長く形成されている。ここでは、第２の凹部１８８は外観が略平行四辺形に形成されている。左フレーム１１４ｂに配設された回動操作部１８４は第２の凹部１８８を通してその外周部および側部の一部（ここでは図５および図６に示すように回動操作部１８４の上側）が視認できる状態にある。そして、回動操作部１８４は、図１５（Ｂ）中に破線で示す左側板１１６ｂの外表面の延長面Ｓから外方に突出させることなく、第２の凹部１８８の内側に配置した状態で外部に露出させている。  
図１５（Ｂ）中に破線で示す左側板１１６ｂの外表面の延長面Ｓから回動操作部１８４までの距離は、例えば０ｍｍから５ｍｍ程度で、０．５ｍｍから３．０ｍｍ程度であればなお好ましい。すなわち、回動操作部１８４は左側板１１６ｂの外表面ＯＳに対して突出しないように露出されている。
【００５８】
なお、延長面Ｓの形状は、左側板１１６ｂの第２の凹部１８８の周囲の形状によって変わる。第２の凹部１８８の周囲がこの実施の形態のように曲面の場合、延長面Ｓも曲面であり、第２の凹部１８８の周囲が平面の場合、延長面Ｓも平面である。すなわち、図１５（Ｂ）中、第２の凹部１８８の周囲が曲面であるから、延長面Ｓを示す破線は曲線である。
【００５９】
そして、左側板１１６ｂの外表面の延長面Ｓから回動操作部１８４が外方に突出しないことの判断は、リール取付脚部１８を水平に配置したときに、第２の凹部１８８の水平方向および上下方向の短寸法方向で判断するものとする。この実施の形態では図６に示す第２の凹部１８８の上下方向が前後方向に比べて短寸法方向であるため、延長面Ｓ上に図示しない基準線が第２の凹部１８８の上下方向に採られ、その基準線に回動操作部１８４が触れているか否かで突出しているか否かが判断される。なお、基準線は、第２の凹部１８８の周囲が曲面であるからこの実施の形態では曲線である。また、この曲面は第２の凹部１８８の周囲の曲率面が延長した形で定義付けられる。
【００６０】
図６、図１５（Ｂ）に示すように、左側板１１６ｂの第２の凹部１８８の縁部には、左手ＬＨの親指ＬＴを保護したり、左側板１１６ｂの第２の凹部１８８から左フレーム１１４ｂとの間にゴミが浸入するのを防止するため、例えば環状の保護部材１９０が固定されている。この保護部材１９０は硬度が低く、摩擦係数が小さい材料としてＰＴＦＥ、ナイロン、ＡＢＳ樹脂、アセタール樹脂（ＰＯＭ）などの樹脂材が用いられることが好ましい。  
第２の凹部１８８の下側の縁部に配設された保護部材１９０は、親指ＬＴを置く部分として第２の凹部１８８の下側縁部から外部に突出した状態に固定されている。第２の凹部１８８の上側の縁部に配設された保護部材１９０は、ゴミの侵入を防止するように左側板１１６ｂの内周面から回動操作部１８４に向かって延出されている。  
図１５（Ｂ）に示すように保護部材１９０の下側に親指ＬＴを押し当てると、親指ＬＴは下側に向けた力を掛けることとなる。このとき、親指ＬＴが保護部材１９０に強く擦れるので、親指ＬＴに負担を掛けるのを防止するため、Ｒ形状に丸められている。この保護部材１９０は、親指ＬＴが強く擦れるため、未塗装、未メッキ仕上げとすることが好ましい。
【００６１】
そして、釣り人はリール１０を左手ＬＨで保持した状態で左側板１１６ｂの第２の凹部１８８を通して回動操作部１８４の上側部分に親指ＬＴを押し当てることができる。このため、上側部分に押し当てた親指ＬＴを第２の凹部１８８の保護部材１９０に沿って前後方向に移動させると回動操作部１８４を回動操作可能である。そして、スプール２０を回転させると、導電体５６には内側リング磁石６８および外側リング磁石７０による磁界の影響で渦電流が発生し、スプール２０の回転を抑制する。
【００６２】
この実施の形態による魚釣用リール１０は、左側板１１６ｂの下側面ＬＬから第１の操作機構１１０の操作突起１６０を操作可能に露出させている。そして、操作突起１６０が左側板１１６ｂの下側面ＬＬから突出する突出量は小さく、釣竿８およびリール１０を握持保持したときに左手ＬＨが当たらない位置にあるので、左手ＬＨで釣竿８とリール１０を保持した状態で、第１の操作機構１１０の操作突起１６０と左手ＬＨとの間に隙間がある。このため、操作突起１６０の誤操作を防止できる。また、第２の操作機構１１２の回動操作部１８４は左側板１１６ｂの第２の凹部１８８の内部に配設されているので、左手ＬＨの親指ＬＴで回動操作部１８４を誤操作するのを防止できる。すなわち、リール１０を握持保持する際に操作突起１６０および回動操作部１８４の両者が左手ＬＨに接触することが防止されているので、釣竿８およびリール１０を握持保持した際の違和感がなく、キャスティング操作も操作突起１６０および回動操作部１８４が邪魔になることなく支障なく安定して行える。また、実釣時や釣り場移動時に操作突起１６０および回動操作部１８４に外力が加わり難くなるので、操作突起１６０および回動操作部１８４に傷が付いたり、操作突起１６０および回動操作部１８４の回転操作性が低下したり、磁気制動装置５４に支障をきたすことを防止できる。  
そして、この実施の形態では、第１の操作機構１１０に加えて第２の操作機構１１２を設けているので、良好な握持保持性の維持を図りながら、釣り場の実情に適した幅広い制動力調整が可能となる。
【００６３】
第２の操作機構１１２の回動操作部１８４が第２の凹部１８８内に配設されているので、リール１０を左手ＬＨで保持した状態で回動操作部１８４が掌に喰い込むことがなく、握持保持性が良く、必要な場合に親指ＬＴを動かして回動操作部１８４の一部に親指ＬＴを掛けることによって、容易に回動操作部１８４を操作できる。また、手指が回動操作部１８４に強く当たることによる誤操作も発生し難い。  
また、回動操作部１８４に凹凸を有する滑り止めを形成することによって、回動操作部１８４の凹凸を親指ＬＴに引っ掛けることができ、回動操作部１８４を操作しようとする際の滑りを防止できる。また、回動操作部１８４に溝１８４ａが形成されていることによって、操作時の水分を溝１８４ａ内に入れることができる。このため、回動操作部１８４に対する親指ＬＴの滑りをより確実に防止できる。特に、第２の凹部１８８内に親指ＬＴを押し付けるので、この回動操作部１８４への親指ＬＴからの押し付け力は小さくなり、これらの滑り防止は効果的である。  
また、この実施形態では、第１の操作機構１１０の回動操作部１２４の環状部１４２の一部を左側板１１６ｂから視認可能としたことによって、視覚によって、又は視覚及び触覚によって操作突起１６０の位置を容易に把握することができる。同様に、第２の操作機構１１２の第２の操作部１７２の回動操作部１８４の一部を左側板１１６ｂから視認可能としたことによって、視覚によって、又は視覚及び触覚によって回動操作部１８４の状態を容易に把握することができる。
【００６４】
この実施の形態では、制動装置５４に２つの操作部（第１及び第２の延出部７６，７８）を設ける例について説明したが、１つの操作部７６だけ形成されている（第２の延出部７８は存在しない）ことも好適である。  
なお、上述した実施形態では磁気ブレーキ装置を用いて説明したが、遠心摩擦ブレーキ装置や他のブレーキ装置を左フレーム１４ｂ，１１４ｂと左側板１６ｂ，１１６ｂとの間に配置したときにもブレーキの状態を認識できるようにすることも同様に可能である。
【００６５】
これまで、いくつかの実施の形態について図面を参照しながら具体的に説明したが、この発明は、上述した実施の形態に限定されるものではなく、その要旨を逸脱しない範囲で行なわれるすべての実施を含む。
【符号の説明】
【００６６】
ＯＳ…外表面、Ｗ…窓部、ＳＭ…目盛り、１２…リール本体、１６ｂ，１１６ｂ…左側板、２０…スプール、２６…スプール軸、２８ａ，２８ｂ…ボール軸受、３０…ハンドル、５４…磁気制動装置、５６…導電体、５６ａ…ボス部、５６ｂ…ディスク状部、５６ｃ…円筒状部、５８…受部材、６０…中央開口、６２ａ…小径部、６２ｂ…大径部、６２…支持台部、６４…環状溝、６６…磁石ホルダ、６８…内側リング磁石、７０…外側リング磁石、７２…環状間隙、７６…第１延出部、７８…第２延出部、８０…スプール制動力調整部、８６，１６０…第１の操作部（回動操作部）、８８…指示部、１１０…第１の操作機構、１１２…第２の操作機構、１２４…回動操作部、１８４…第２の操作部（回動操作部）。
【図１】
0005470225.tif 000002
【図２】
0005470225.tif 000003
【図３】
0005470225.tif 000004
【図４】
0005470225.tif 000005
【図５】
0005470225.tif 000006
【図６】
0005470225.tif 000007
【図７】
0005470225.tif 000008
【図８】
0005470225.tif 000009
【図９】
0005470225.tif 000010
【図１０】
0005470225.tif 000011
【図１１】
0005470225.tif 000012
【図１２】
0005470225.tif 000013
【図１３】
0005470225.tif 000014
【図１４】
0005470225.tif 000015
【図１５】
0005470225.tif 000016